(57)【要約】【課題】予め登録した撮影位置の予め登録した撮影対象を自動的に撮影するとともに、撮影対象の未撮影状況を監視し、前記予め登録した撮影対象を確実に撮影する。【解決手段】撮影対象の撮影リストおよび撮影を行なう目的地の位置情報を、データ記憶部８に登録格納する。目的地に近づきまたは到着したら、あるいはそれ以前に、位置計測装置９による位置計測を開始させ、到着後、位置確認したら、未撮影状況の監視に基づく撮影漏れの防止機能を起動して、撮影リストに従って登録撮影対象を自動的に撮影する撮影動作を開始させる。撮影漏れの防止機能は、登録位置から離れたと判定した時点で、撮影リストの登録撮影対象に未撮影分が残っていれば、音声入出力部４等を介して、ユーザに未撮影分の存在を警告して、撮影漏れを防止する。【選択図】    図１
2004221869.tif 000002
【特許請求の範囲】
【請求項１】
被写体を撮影して電子的な画像情報を取得するための撮影手段と、
当該装置の位置を随時計測して位置情報を得るための位置計測手段と、
前記撮影手段により撮影を行なう位置を予め登録し記憶させるための位置登録手段と、
前記撮影手段により撮影すべき撮影対象を予め登録し記憶させるための対象登録手段と、
前記対象登録手段による登録撮影対象と前記撮影手段により撮影された画像情報とを関連付けし、前記撮影手段により前記登録撮影対象が撮影されたか否かを判定するための撮影判定手段と、
前記位置計測手段による位置情報に基づき、前記位置登録手段による登録位置から離れたと判定した時点で、前記撮影判定手段の判定結果より前記対象登録手段による登録撮影対象に未撮影分が残っていれば、未撮影分の存在を警告する撮影監視手段と、
を具備することを特徴とする携帯情報端末装置。
【請求項２】
前記位置計測手段による位置情報に基づき、前記位置登録手段による登録位置に近づいたと判定した際に、前記撮影判定手段および撮影監視手段を起動する監視起動手段をさらに備えることを特徴とする請求項１に記載の携帯情報端末装置。
【請求項３】
前記撮影手段による撮影動作に基づき、前記撮影手段により最初の１枚が撮影されると、前記撮影判定手段および撮影監視手段を起動する監視起動手段をさらに備えることを特徴とする請求項１に記載の携帯情報端末装置。
【請求項４】
前記位置登録手段は、目的地に到着した時点で、前記位置計測手段によりその位置を計測し、その結果として得られる位置情報を前記登録位置として登録し記憶させるための手段を含むことを特徴とする請求項１〜請求項３のうちのいずれか１項に記載の携帯情報端末装置。
【請求項５】
前記位置登録手段は、前記予め登録する位置情報をネットワークからダウンロードして取得する手段を含むことを特徴とする請求項１〜請求項４のうちのいずれか１項に記載の携帯情報端末装置。
【請求項６】
ネットワークまたは通信端末に対して無線通信するための無線通信手段と、
適正に撮影が完了した撮影済の画像情報を送信すべき送信先を登録する送信先登録手段と、
をさらに備え、且つ
前記撮影監視手段は、前記対象登録手段による登録撮影対象の未撮影分なしに前記位置登録手段による登録位置から離れたことを認識したら、撮影済画像を前記送信先登録手段により予め登録された送信先に前記無線通信手段を介して送信する手段を含む
ことを特徴とする請求項１〜請求項５のうちのいずれか１項に記載の携帯情報端末装置。
【請求項７】
前記位置計測手段は、ＧＰＳ（Ｇｌｏｂａｌ  Ｐｏｓｉｔｉｏｎｉｎｇ  Ｓｙｓｔｅｍ：全地球測位システム）を用いて位置を計測するＧＰＳ手段を含むことを特徴とする請求項１〜請求項６のうちのいずれか１項に記載の携帯情報端末装置。
【請求項８】
各種情報をモニタ表示するための表示手段と、
前記ＧＰＳ手段が動作するときには、前記表示手段の電源の電力消費の少なくとも一部を抑制する手段と
をさらに含むことを特徴とする請求項７に記載の携帯情報端末装置。
【発明の詳細な説明】
【０００１】
【発明の属する技術分野】
本発明は、いわゆるＰＤＡ（Ｐｅｒｓｏｎａｌ  Ｄｉｇｉｔａｌ  Ａｓｓｉｓｔａｎｔ）に代表される携帯情報端末装置に係り、特に被写体を撮影して電子的な画像情報を得る撮影機能および当該装置の位置を随時計測して位置情報を得る位置計測機能を備えた携帯情報端末装置に関するものである。
【０００２】
【従来の技術】
いわゆるＰＤＡに代表される携帯情報端末装置には、ディジタルカメラ等の構成を組み込み、被写体を撮影して電子的な画像情報を得る撮影機能を備えたものや、ＧＰＳ（Ｇｌｏｂａｌ  Ｐｏｓｉｔｉｏｎｉｎｇ  Ｓｙｓｔｅｍ：全地球測位システム）受信機等の位置計測装置を組み込み、当該装置の位置を随時計測して位置情報を得る位置計測機能を備えたものがある。
【０００３】
【特許文献１】
特開２００１−２５７９２０号公報
このような撮影機能および位置計測機能の双方を備えた従来の装置の１つとして、特許文献１に記載されたものがある。特許文献１の発明においては、予め設定しておいた撮影ポイントに到達すると自動的に撮影を実行するようにしている。上記特許文献１の装置は、位置計測機能付きのカメラとして次のように動作する。撮影ポイントを特定する位置情報、撮影対象の方位、撮影を行なう範囲、撮影枚数および撮影時間間隔等の撮影情報を、当該カメラに予め入力して、記憶させておく。このカメラを電動雲台等を介して車両に取り付け、撮影ポイントへ移動する。車両の位置は、ＧＰＳ受信機によって把握されており、予め設定された撮影ポイントに近づくと自動的に撮影系電源をオンとし、該撮影ポイントまたは指定された撮影範囲に到達したと判断したときに撮影を実行する。撮影完了後は撮影系電源が自動的にオフとされる。
【０００４】
【特許文献２】
特開２０００−１５５８７８号公報
また、カメラにＧＰＳ受信機等を搭載し、計測される位置情報に基づいて警報を発して、カメラの盗難防止を図る盗難防止装置として特許文献２に記載されたものがある。この特許文献２の盗難防止装置は、いわゆるテーマパークや遊園地等において貸し出されるカメラに組み込まれて貸し出したカメラの盗難を防止する。この装置が組み込まれたカメラは、予め設定された地域、例えばテーマパーク等に相当する地域から外部に持ち出されると、位置情報に基づいてそれが検出され、警報が発せられる。
【０００５】
【発明が解決しようとする課題】
特許文献１に示された位置計測機能付きのカメラは、撮影ポイントを予め設定しておくことにより、車両等による移動中にも予定の撮影を行なうことができるようにするものであるが、撮影漏れの防止については何ら考慮されていない。また、特許文献２に示された盗難防止装置は、一定の地域において貸し出し使用される特殊なカメラにおける盗難の防止のために、当該地域外への持ち出しを警報によって防止するものである。
本発明は、上述した事情に鑑みてなされたもので、撮影機能および位置計測機能の両者を備え、前記位置計測機能に前記撮影機能を連動させることにより、予め登録した撮影位置の予め登録した撮影対象を自動的に撮影するとともに、前記位置計測機能を有効に利用して前記撮影対象の未撮影状況を監視し、前記予め登録した撮影対象を確実に撮影することを可能とする携帯情報端末装置を提供することを目的としている。
【０００６】
そして、本発明の請求項１の目的は、特に、予め登録した撮影対象の撮影漏れを警告して効果的に防止し得る携帯情報端末装置を提供することにある。
また、本発明の請求項２の目的は、特に、未撮影状況の監視に基づく撮影漏れの防止を、予め登録した位置の近傍において自動的に作動させ、さらに利便性を高め得る携帯情報端末装置を提供することにある。
本発明の請求項３の目的は、特に、未撮影状況の監視に基づく撮影漏れの防止を、最初の撮影動作によって自動的に作動させ、さらに利便性を高め得る携帯情報端末装置を提供することにある。
本発明の請求項４の目的は、特に、予め事前に位置情報を登録設定する手間を省き、さらに利便性を高めることを可能とする携帯情報端末装置を提供することにある。
本発明の請求項５の目的は、特に、予め事前に位置情報を登録する操作の手間を省き、さらに利便性を高めることを可能とする携帯情報端末装置を提供することにある。
【０００７】
本発明の請求項６の目的は、特に、撮影漏れを防止するだけでなく、撮影画像の提供先を登録された撮影位置および撮影対象の少なくとも一方に関連付けて予め登録しておくだけで、撮影された画像情報の送信操作の手間も省き、さらに利便性を高め得る携帯情報端末装置を提供することにある。
本発明の請求項７の目的は、特に、位置計測機能の汎用性を高め得る携帯情報端末装置を提供することにある。
本発明の請求項８の目的は、特に、ＧＰＳ動作時の駆動電源への過大負荷を効果的に防止し、本動作をさせた場合でも電池の動作時間が極力減らないようになし得る携帯情報端末装置を提供することにある。
【０００８】
【課題を解決するための手段】
請求項１に記載した本発明に係る携帯情報端末装置は、上述した目的を達成するために、
被写体を撮影して電子的な画像情報を取得するための撮影手段と、
当該装置の位置を随時計測して位置情報を得るための位置計測手段と、
前記撮影手段により撮影を行なう位置を予め登録し記憶させるための位置登録手段と、
前記撮影手段により撮影すべき撮影対象を予め登録し記憶させるための対象登録手段と、
前記対象登録手段による登録撮影対象と前記撮影手段により撮影された画像情報とを関連付けし、前記撮影手段により前記登録撮影対象が撮影されたか否かを判定するための撮影判定手段と、
前記位置計測手段による位置情報に基づき、前記位置登録手段による登録位置から離れたと判定した時点で、前記撮影判定手段の判定結果より前記対象登録手段による登録撮影対象に未撮影分が残っていれば、未撮影分の存在を警告する撮影監視手段と、
を具備することを特徴としている。
【０００９】
また、請求項２に記載した本発明に係る携帯情報端末装置は、請求項１の携帯情報端末装置において、前記位置計測手段による位置情報に基づき、前記位置登録手段による登録位置に近づいたと判定した際に、前記撮影判定手段および撮影監視手段を起動する監視起動手段をさらに備えることを特徴としている。
請求項３に記載した本発明に係る携帯情報端末装置は、請求項１の携帯情報端末装置において、前記撮影手段による撮影動作に基づき、前記撮影手段により最初の１枚が撮影されると、前記撮影判定手段および撮影監視手段を起動する監視起動手段をさらに備えることを特徴としている。
請求項４に記載した本発明に係る携帯情報端末装置は、請求項１〜請求項３のいずれか１項の携帯情報端末装置において、前記位置登録手段が、目的地に到着した時点で、前記位置計測手段によりその位置を計測し、その結果として得られる位置情報を前記登録位置として登録し記憶させるための手段を含むことを特徴としている。
【００１０】
請求項５に記載した本発明に係る携帯情報端末装置は、請求項１〜請求項４のいずれか１項の携帯情報端末装置において、前記位置登録手段が、前記予め登録する位置情報をネットワークからダウンロードして取得する手段を含むことを特徴としている。
請求項６に記載した本発明に係る携帯情報端末装置は、請求項１〜請求項５のいずれか１項の携帯情報端末装置において、
ネットワークまたは通信端末に対して無線通信するための無線通信手段と、
適正に撮影が完了した撮影済の画像情報を送信すべき送信先を登録する送信先登録手段と、
をさらに備え、且つ
前記撮影監視手段が、前記対象登録手段による登録撮影対象の未撮影分なしに前記位置登録手段による登録位置から離れたことを認識したら、撮影済画像を前記送信先登録手段により予め登録された送信先に前記無線通信手段を介して送信する手段を含む
ことを特徴としている。
【００１１】
請求項７に記載した本発明に係る携帯情報端末装置は、請求項１〜請求項６のいずれか１項の携帯情報端末装置において、前記位置計測手段が、ＧＰＳを用いて位置を計測するＧＰＳ手段を含むことを特徴としている。
請求項８に記載した本発明に係る携帯情報端末装置は、請求項７の携帯情報端末装置において、
各種情報をモニタ表示するための表示手段と、
前記ＧＰＳ手段が動作するときには、前記表示手段の電源の電力消費の少なくとも一部を抑制する手段と
をさらに含む
ことを特徴としている。
【００１２】
【作用】
すなわち、本発明の請求項１による携帯情報端末装置は、被写体を撮影して電子的な画像情報を取得するための撮影手段および当該装置の位置を随時計測して位置情報を得るための位置計測手段を備え、さらに前記撮影手段により撮影を行なう位置を予め登録し記憶させるための位置登録手段、前記撮影手段により撮影すべき撮影対象を予め登録し記憶させるための対象登録手段、前記対象登録手段による登録撮影対象と前記撮影手段により撮影された画像情報とを関連付けし、前記撮影手段により前記登録撮影対象が撮影されたか否かを判定するための撮影判定手段および前記位置計測手段による位置情報に基づき、前記位置登録手段による登録位置から離れたと判定した時点で、前記撮影判定手段の判定結果より前記対象登録手段による登録撮影対象に未撮影分が残っていれば、未撮影分の存在を警告する撮影監視手段を具備している。
【００１３】
このような構成により、撮影機能および位置計測機能の両者を備え、前記位置計測機能に前記撮影機能を連動させることにより、予め登録した撮影位置の予め登録した撮影対象を自動的に撮影するとともに、前記位置計測機能を有効に利用して前記撮影対象の未撮影状況を監視し、前記予め登録した撮影対象を確実に撮影することを可能として、例えば目的とするショー会場等の登録位置で撮影する必要のある撮影対象を予め登録しておき、撮影した画像を撮影対象のリストに対応させる機能を有するものにおいて、特に、位置計測機能との連動により、登録位置から離れたと判定した時に撮影結果に撮影漏れがあった場合に警告を発し、予め登録した撮影対象の撮影漏れが効果的に防止される。
【００１４】
また、本発明の請求項２による携帯情報端末装置は、請求項１の携帯情報端末装置において、前記位置計測手段による位置情報に基づき、前記位置登録手段による登録位置に近づいたと判定した際に、前記撮影判定手段および撮影監視手段を起動する監視起動手段をさらに備える。
このような構成により、前記登録位置に近づいたと判断されると、前記撮影判定手段および撮影監視手段による未撮影状況の監視に基づく撮影漏れの防止が、確実に作動され、さらに利便性が高められる。
本発明の請求項３による携帯情報端末装置は、請求項１の携帯情報端末装置において、前記撮影手段による撮影動作に基づき、前記撮影手段により最初の１枚が撮影されると、前記撮影判定手段および撮影監視手段を起動する監視起動手段をさらに備える。
このような構成により、最初の一枚を撮影したら、未撮影状況の監視に基づく撮影漏れの防止が、自動的に作動され、さらに利便性が高められる。
【００１５】
本発明の請求項４による携帯情報端末装置は、請求項１〜請求項３のいずれか１項の携帯情報端末装置において、前記位置登録手段が、目的地に到着した時点で、前記位置計測手段によりその位置を計測し、その結果として得られる位置情報を前記登録位置として登録し記憶させるための手段を含む。
このような構成により、目的地に到着したら、その位置を計測し、その結果を登録位置情報とすることが可能となり、予め事前に位置情報を登録設定する手間を省くことができて、さらに利便性が高められる。
本発明の請求項５による携帯情報端末装置は、請求項１〜請求項４のいずれか１項の携帯情報端末装置において、前記位置登録手段が、前記予め登録する位置情報をネットワークからダウンロードして取得する手段を含む。
このような構成により、予め登録される位置情報をネットワークからダウンロードして取得登録することで、位置情報の登録操作の手間を省くことができ、さらに利便性が高められる。
【００１６】
本発明の請求項６による携帯情報端末装置は、請求項１〜請求項５のいずれか１項の携帯情報端末装置において、ネットワークまたは通信端末に対して無線通信するための無線通信手段および適正に撮影が完了した撮影済の画像情報を送信すべき送信先を登録する送信先登録手段、をさらに備え、且つ前記撮影監視手段が、前記対象登録手段による登録撮影対象の未撮影分なしに前記位置登録手段による登録位置から離れたことを認識したら、撮影済画像を前記送信先登録手段により予め登録された送信先に前記無線通信手段を介して送信する手段を含む。
このような構成により、携帯電話網等を利用した無線通信機能を有し、撮影漏れなしに登録位置を離れたら、撮影された画像情報を予め登録された相手に対して自動的に送信することで、撮影漏れを防止するだけでなく、撮影画像の提供先を登録された撮影位置および撮影対象の少なくとも一方に関連付けて予め登録しておくだけで、撮影された画像情報の送信操作の手間も省くことができ、さらに利便性が高められる。
【００１７】
本発明の請求項７による携帯情報端末装置は、請求項１〜請求項６のいずれか１項の携帯情報端末装置において、前記位置計測手段が、ＧＰＳを用いて位置を計測するＧＰＳ手段を含む。
このような構成により、位置計測に汎用性の高いＧＰＳが利用されて、位置計測機能の汎用性が高められる。
本発明の請求項８による携帯情報端末装置は、請求項７の携帯情報端末装置において、各種情報をモニタ表示するための表示手段および前記ＧＰＳ手段が動作するときには、前記表示手段の電源の電力消費の少なくとも一部を抑制する手段をさらに含む。
このような構成により、大電力を消費するＧＰＳ動作時には、ＬＣＤ（液晶ディスプレイ）等の表示手段を消灯するなどして突入電流を減らすことで、電池等の駆動電源への過大負荷を効果的に防止し、本動作をさせた場合における電池動作時間が極力減らないようにしている。
【００１８】
【発明の実施の形態】
以下、本発明の実施の形態に基づき、図面を参照して本発明の携帯情報端末装置を詳細に説明する。
図１は、本発明の一つの実施の形態に係る携帯情報端末装置の要部の構成を示している。図１は、情報通信機能を有するディジタルスティルカメラとして構成した携帯情報端末装置の要部の機能構成を模式的に示すブロック図である。
図１に示す携帯情報端末装置は、ディジタルスティルカメラとしての撮影機能およびＧＰＳを用いた位置計測機能を有しており、ここでは、ＧＰＳを用いた位置計測装置が組み込まれ且つＰＨＳ（パーソナルハンディフォンシステム）回線を利用した情報通信機能を有するディジタルスティルカメラとして構成している。図１の携帯情報端末装置であるディジタルスティルカメラは、システム制御部１、撮像部２、画像処理部３、音声入出力部４、電源部５、画像表示部６、操作部７、データ記憶部８、位置計測装置９および外部Ｉ／Ｆ（インタフェース）部１０を具備している。
【００１９】
システム制御部１は、制御プログラムを格納するためのプログラムＲＯＭ（リードオンリメモリ）および制御動作に関連して情報を一時的に格納するための作業ＲＡＭ（ランダムアクセスメモリ）を含み、前記プログラムＲＯＭに格納された制御プログラムに従ってシステム全体の動作を制御する。撮像部２は、被写体像を結像するための撮像レンズ、前記撮像レンズを収容保持する鏡胴および前記撮像レンズによって結像された被写体像を電子的画像情報に変換するＣＣＤ（電荷結合素子）固体撮像素子等の撮像素子を含み、撮影手段として、被写体像を撮像して画像情報を得る。画像処理部３は、撮像部２によって取得された画像情報に、所要の画像処理を施す。音声入出力部４は、音声を電気的な音声信号として入力するマイク（マイクロフォン）およびマイクから入力されたアナログ音声信号をディジタル音声信号に変換するＡ／Ｄ（アナログ−ディジタル）変換器と、ディジタル音声信号をアナログ音声信号に変換するＤ／Ａ（ディジタル−アナログ）変換器およびアナログ音声信号を音響として出力するスピーカとを含み、音声指示等の音声情報をシステムに入力し、システムから警報のためのブザー音や音声メッセージ等を含む音声情報を出力する。電源部５は、直流電圧を変換するＤＣ／ＤＣコンバータを含み、電池等の電源からシステム各部に所要電圧の駆動電力を供給する。
【００２０】
画像表示部６は、メインＬＣＤを含み、撮像部２によって得られる電子ファインダ画像や撮影画像等の画像を表示する。操作部７は、各種操作用のスイッチおよび各種操作状態を表示するための状態表示ＬＥＤ（発光ダイオード）を含み、システムに各種操作入力を与える。データ記憶部８は、主として撮影画像情報を格納するための、いわゆるフラッシュメモリのような不揮発性メモリを用いたＩＣ（集積回路）メモリカード等の外部ストレージおよびそのような外部ストレージを制御するカード制御部を含み、前記撮像部２によって撮影された画像情報や、予め登録される位置情報および撮影対象情報などを格納する。位置計測装置９は、位置計測手段として、例えばＧＰＳ等の測位システムを用いて位置計測を行なう装置であり、典型的にはＧＰＳ手段としてのＧＰＳ受信機等で構成される。外部Ｉ／Ｆ部１０は、外部通信網との間で通信を行なうためのインタフェースであり、無線通信手段として、例えばＰＨＳ電話網に接続するためのＰＨＳ通信装置等を含んで構成される。
【００２１】
システム制御部１、操作部７およびデータ記憶部８は、撮影を行なう位置を予め登録し記憶させるための位置登録手段、撮影すべき撮影対象を予め登録し記憶させるための対象登録手段、登録撮影対象と撮影された画像情報とを関連付けし、前記登録撮影対象が撮影されたか否かを判定するための撮影判定手段および計測された位置情報に基づき、当該登録位置から離れたと判定した時点で、前記撮影判定手段の判定結果より前記登録撮影対象に未撮影分が残っていれば、音声入出力部４および画像表示部６または操作部７の状態表示ＬＥＤの少なくともいずれかを介して、ユーザに未撮影分の存在を警告する撮影監視手段を構成する。さらに、システム制御部１は、計測された位置情報に基づき、前記登録位置に近づいたと判定した際に、前記撮影判定手段および撮影監視手段を起動する第１の監視起動手段および撮影動作に基づき、最初の１枚の画像が撮影されると、前記撮影判定手段および撮影監視手段を起動する第２の監視起動手段の少なくとも一方を構成する。また、システム制御部１、操作部７およびデータ記憶部８は、適正に撮影が完了した撮影済の画像情報を送信すべき送信先を登録する送信先登録手段を構成し、システム制御部１が、前記登録撮影対象の未撮影分なしに前記登録位置から離れたことを認識したら、撮影済画像を前記登録された送信先に、無線通信手段としての外部Ｉ／Ｆ部１０を介して送信するようにする。
【００２２】
次に、図１のように構成した携帯情報端末装置であるディジタルスティルカメラの動作について、当該ディジタルスティルカメラをショー会場で利用する場合を例にとって図２に示す動作のフローチャートを参照して説明する。
（１）予め、ショー会場で写真を撮影する必要がある撮影対象の一覧データ（以下「撮影リスト」と称する）を作成入力し、データ記憶部８に登録格納する（ステップＳ１１）。この撮影リストの作成登録にあたっては、操作部７の操作によって個々に撮影対象を入力し、データ記憶部８に登録するようにしてもよいし、予め別途にＰＣ（パーソナルコンピュータ）によって入力して一覧データを作成し、それを外部Ｉ／Ｆ部１０を介して無線的にまたは有線的にデータ記憶部８に転送することによって登録格納するようにしてもよい。
【００２３】
（２）次に、前述の撮影対象の撮影リストの撮影を行なう位置情報としてショー会場の位置情報を、データ記憶部８に登録格納する。この撮影位置情報の登録にあたっては、操作部７の操作によって位置情報を入力し、データ記憶部８に登録するようにしてもよいが（ステップＳ１２）、外部Ｉ／Ｆ部１０を介して無線的にまたは有線的にインターネット等のネットワークに接続し、ネットワーク上に存在する位置情報をデータ記憶部８にダウンロードすることによって登録格納するようにしてもよい（ステップＳ１３）。複数の目的地、つまり撮影位置、毎に、撮影リスト、つまり複数の撮影対象、をそれぞれ関連付けるようにしてもよい。なお、撮影位置となる目的地が、単一個所である場合には、ショー会場等の目的地に到着した時点で位置計測装置９により位置計測を行なって計測された位置情報を撮影位置として登録するようにしてもよい。
【００２４】
（３）目的地であるショー会場に近づきまたは到着したら、あるいはそれ以前に、位置計測装置９による位置計測を開始させ（ステップＳ１４）、ショー会場に到着して、目的地であることを確認したら（ステップＳ１５）、未撮影状況の監視に基づく撮影漏れの防止機能を有効として撮影動作を開始させる（ステップＳ１６）。この撮影動作は、登録位置における撮影リストに従って登録撮影対象を自動的に撮影するものである。あるいは、位置計測に基づく撮影リストに従った撮影動作を、予め作動させておき、登録された撮影リストおよび位置情報に従って、最初の１枚目の撮影が行なわれたら、ステップＳ１５において、未撮影状況の監視に基づく撮影漏れの防止機能を有効とするようにしてもよい。未撮影状況の監視に基づく撮影漏れの防止機能は、登録撮影対象と撮影された画像情報とを関連付けし、前記登録撮影対象が撮影されたか否かを判定し、且つ計測された位置情報に基づき、当該登録位置から離れたと判定した時点で、前記登録撮影対象が撮影されたか否かの判定の結果より前記登録撮影対象に未撮影分が残っていれば、音声入出力部４および画像表示部６または操作部７の状態表示ＬＥＤの少なくともいずれかを介して、ユーザに未撮影分の存在を警告して、撮影漏れを防止する機能である。
【００２５】
（４）ショー会場においては、登録位置における撮影リストに従って登録撮影対象を自動的に逐次撮影する。
（５）撮影および位置計測が続行している状態で、登録位置から予め定められた距離だけ離れたと判断されたとき（ステップＳ１７）、本システムは、撮影リストの内容の撮影を実行すべき目的地から離れた、すなわちユーザは撮影行為を終了したつもりであると判断する。
（６）上述のように判断した時点で、当該位置に対応する撮影リストの登録撮影対象の撮影が完了していない場合には（ステップＳ１８）、先に述べた未撮影状況の監視に基づく撮影漏れの防止機能により、音声入出力部４によるスピーカを介してのブザー音および音声ガイド、並びに操作部７の状態表示ＬＥＤ等を用いた表示光の点滅の少なくともいずれかにて、ユーザに警告を発して（ステップＳ１９）、ステップＳ１７に戻って、撮影を継続する。なお、ステップＳ１８において。撮影漏れがないと判定されたら、撮影画像の送信先が予め登録されている場合には、外部Ｉ／Ｆ部１０により無線的にまたは有線的にインターネット等のネットワークを含む通信回線を介して送信先に撮影画像を送信して（ステップＳ２０）、処理を終了する。また、ステップＳ１８において。撮影漏れがないと判定された時点で、撮影画像の送信先が予め登録されていない場合には、ステップＳ２０では何も行なわずに処理を終了する。
【００２６】
なお、上述した構成において、位置計測装置９は、ディジタルカメラの本体に固定的に内蔵されていてもよいし、カードスロット等を介する形式として脱着可能としても構わない。また、携帯情報端末装置としての構成においては、撮影手段としてのディジタルスティルカメラ機能部分は、携帯情報端末装置の本体に内蔵一体化していてもよく、脱着可能であってもよい（以上は、主として請求項１に対応する）。
すなわち、ショー会場等の目的地で撮影すべき撮影対象の撮影リストとを予め登録しておき、撮影した画像を前記撮影リストに対応させる機能を有するディジタルスティルカメラとしての携帯情報端末装置、またはそのようなカメラ機能を有するＰＤＡ等のような携帯情報端末装置において、位置計測装置と連動して撮影漏れを監視させるようにすることにより、目的地から離れた時に撮影リストの撮影結果に漏れがあった場合に、警告を発することによって、効果的に撮り忘れを防止することができる。
【００２７】
上述した実施の形態においては、基本的に、ステップＳ１４において手動的に位置計測を開始し、ステップＳ１６において未撮影状況の監視に基づく撮影漏れの防止機能を起動するものとして説明したが、常に位置計測を実行している場合には、予め登録した撮影位置に近づいたら自動的に当該機能を起動するようにして、利便性を高めるようにしてもよい（請求項２に対応する）。また、常に位置計測を実行し、撮影リストに従った登録撮影対象の撮影を自動的に行なっている場合には、上述においても簡単に触れたように、ステップＳ１５において、登録撮影対象の最初の１枚目を撮影したら、自動的に未撮影状況の監視に基づく撮影漏れの防止機能を起動する機能を起動するようにして、利便性を高めるようにしてもよい（請求項３に対応する）。
【００２８】
さらに、上述の実施の形態においては、主として目的地の位置情報を予め登録するものとして説明したが、上述においても簡単に触れたように、現地に到着した時点で、位置計測を行って得た位置情報を、位置情報として登録するようにしてもよい（請求項４に対応する）。このように位置情報を現場で実測するようにすれば、予め位置情報を設定する手間を省くことができる。また、目的地の位置情報を予め登録する際に、上述においても簡単に触れたように、インターネット等のネットワーク上の地図データベース等を参照し、建物や住所を指定することによって、そこから位置情報を得て、これを位置情報として登録するようにしてもよい（請求項５に対応する）。位置情報をネットワークからダウンロードして登録するようにしても、位置情報の登録の手間を省くことができる。同様に、上述においても簡単に触れたように、撮影漏れなしに登録位置から所定距離以上離れた時点で、撮影業務が正常に終了したとみなして、外部Ｉ／Ｆ部１０等における無線通信機能によって、予め登録された送信先のサーバやメールアドレスに対して、撮影画像および位置および撮影リスト情報等のような付加データを自動的に送信するようにしてもよい（請求項６に対応する）。
【００２９】
この機能は省略してもよいが、このようにＰＨＳ等の無線通信機能を搭載し、撮影漏れなしに現場を離れたと認識したら、予め送信先が登録された相手に対して自動的に撮影画像を送信するようにすれば、撮影した画像情報の送信、配達または送付等の手間を省くことができる。さらに、位置計測機能は、上述したようにＧＰＳを用いるものが、汎用性が高いが（請求項７に対応する）、例えばＰＨＳ端末の最寄りのアンテナ位置を利用した位置計測システムを位置計測機能として用いるなどしてもよい。
【００３０】
さらに、また、この種のディジタルスティルカメラ等の携帯情報端末装置は、通常の場合、バッテリ電源にて駆動される。位置計測装置を構成するＧＰＳ受信機は、人工衛星からの電波を受信して、位置を計測する。単なるディジタルスティルカメラまたは携帯情報端末装置としての通常動作時には、数ｍＷ程度の低電力で動作することが可能だが、ＧＰＳ位置計測のための衛星探索等の初期化動作時には数１００ｍＷ程度の大きな電力を必要とする。そこで、ＧＰＳ位置計測動作において大電力が必要なモード時には、ディジタルスティルカメラ機能におけるモニタリングや再生に用いられるＬＣＤ等の画像表示部６を停止またはスタンバイ状態とし、ＬＣＤの照明用のバックライトを消灯またはスタンバイモードに自動的に移行させるようにして、装置の最大電力値の増加と電力消費を抑え、電力供給ができなくなるまでの駆動寿命時間を延長するようにしてもよい（請求項８に対応する）。ちなみに、近年採用されているＬＣＤのバックライトの消費電力は２００ｍＷ程度であり、これを消灯するだけでも、充分な効果が得られる。
【００３１】
【発明の効果】
以上述べたように、本発明によれば、撮影機能および位置計測機能の両者を備え、前記位置計測機能に前記撮影機能を連動させることにより、予め登録した撮影位置の予め登録した撮影対象を自動的に撮影するとともに、前記位置計測機能を有効に利用して前記撮影対象の未撮影状況を監視し、前記予め登録した撮影対象を確実に撮影することを可能とする携帯情報端末装置を提供することができる。
【００３２】
すなわち本発明の請求項１の携帯情報端末装置によれば、被写体を撮影して電子的な画像情報を取得するための撮影手段および当該装置の位置を随時計測して位置情報を得るための位置計測手段を備え、さらに前記撮影手段により撮影を行なう位置を予め登録し記憶させるための位置登録手段、前記撮影手段により撮影すべき撮影対象を予め登録し記憶させるための対象登録手段、前記対象登録手段による登録撮影対象と前記撮影手段により撮影された画像情報とを関連付けし、前記撮影手段により前記登録撮影対象が撮影されたか否かを判定するための撮影判定手段および前記位置計測手段による位置情報に基づき、前記位置登録手段による登録位置から離れたと判定した時点で、前記撮影判定手段の判定結果より前記対象登録手段による登録撮影対象に未撮影分が残っていれば、未撮影分の存在を警告する撮影監視手段を具備することにより、撮影機能および位置計測機能の両者を備え、前記位置計測機能に前記撮影機能を連動させて、予め登録した撮影位置の予め登録した撮影対象を自動的に撮影するとともに、前記位置計測機能を有効に利用して前記撮影対象の未撮影状況を監視し、前記予め登録した撮影対象を確実に撮影することを可能として、例えば目的とするショー会場等の登録位置で撮影する必要のある撮影対象を予め登録しておき、撮影した画像を撮影対象のリストに対応させる機能を有するものにおいて、特に、位置計測機能との連動により、登録位置から離れたと判定した時に撮影結果に撮影漏れがあった場合に警告を発することができ、予め登録した撮影対象の撮影漏れを効果的に防止することができる。
【００３３】
また、本発明の請求項２の携帯情報端末装置によれば、請求項１の携帯情報端末装置において、前記位置計測手段による位置情報に基づき、前記位置登録手段による登録位置に近づいたと判定した際に、前記撮影判定手段および撮影監視手段を起動する監視起動手段をさらに備えることにより、前記登録位置に近づいたと判断されると、前記撮影判定手段および撮影監視手段による未撮影状況の監視に基づく撮影漏れの防止を、確実に作動させて、さらに利便性を高めることができる。
本発明の請求項３の携帯情報端末装置によれば、請求項１の携帯情報端末装置において、前記撮影手段による撮影動作に基づき、前記撮影手段により最初の１枚が撮影されると、前記撮影判定手段および撮影監視手段を起動する監視起動手段をさらに備えることにより、最初の一枚を撮影したら、未撮影状況の監視に基づく撮影漏れの防止を、自動的に作動させて、さらに利便性を高めることができる。
【００３４】
本発明の請求項４の携帯情報端末装置によれば、請求項１〜請求項３のいずれか１項の携帯情報端末装置において、前記位置登録手段が、目的地に到着した時点で、前記位置計測手段によりその位置を計測し、その結果として得られる位置情報を前記登録位置として登録し記憶させるための手段を含むことにより、目的地に到着したら、その位置を計測し、その結果を登録位置情報とすることが可能となり、予め事前に位置情報を登録設定する手間を省くことができて、さらに利便性を高めることができる。
本発明の請求項５の携帯情報端末装置によれば、請求項１〜請求項４のいずれか１項の携帯情報端末装置において、前記位置登録手段が、前記予め登録する位置情報をネットワークからダウンロードして取得する手段を含むことにより、予め登録される位置情報をネットワークからダウンロードして取得登録することで、位置情報の登録操作の手間を省くことができて、さらに利便性を高めることができる。
【００３５】
本発明の請求項６の携帯情報端末装置によれば、請求項１〜請求項５のいずれか１項の携帯情報端末装置において、ネットワークまたは通信端末に対して無線通信するための無線通信手段および適正に撮影が完了した撮影済の画像情報を送信すべき送信先を登録する送信先登録手段、をさらに備え、且つ前記撮影監視手段が、前記対象登録手段による登録撮影対象の未撮影分なしに前記位置登録手段による登録位置から離れたことを認識したら、撮影済画像を前記送信先登録手段により予め登録された送信先に前記無線通信手段を介して送信する手段を含むことにより、携帯電話網等を利用した無線通信機能を有し、撮影漏れなしに登録位置を離れたら、撮影された画像情報を予め登録された相手に対して自動的に送信することで、撮影漏れを防止するだけでなく、撮影画像の提供先を登録された撮影位置および撮影対象の少なくとも一方に関連付けて予め登録しておくだけで、撮影された画像情報の送信操作の手間も省くことができ、さらに送信忘れを防止できるなど、利便性を高めることができる。
【００３６】
本発明の請求項７の携帯情報端末装置によれば、請求項１〜請求項６のいずれか１項の携帯情報端末装置において、前記位置計測手段が、ＧＰＳを用いて位置を計測するＧＰＳ手段を含むことにより、位置計測に汎用性のあるＧＰＳを利用して、位置計測機能の汎用性を高めることができる。
本発明の請求項８の携帯情報端末装置によれば、請求項７の携帯情報端末装置において、各種情報をモニタ表示するための表示手段および前記ＧＰＳ手段が動作するときには、前記表示手段の電源の電力消費の少なくとも一部を抑制する手段をさらに含むことにより、大電力を消費するＧＰＳ動作時には、ＬＣＤ等の表示手段を消灯するなどして装置の最大電力値の増加と電力消費を抑え、電力供給ができなくなるまでの駆動寿命時間を極力減らさないようにすることができる。
【図面の簡単な説明】
【図１】本発明の一つの実施の形態に係る携帯情報端末装置の要部の構成を模式的に示すブロック図である。
【図２】図１の携帯情報端末装置の動作の流れの一例を模式的に示すフローチャートである。
【符号の説明】
１  システム制御部
２  撮像部
３  画像処理部
４  音声入出力部
５  電源部
６  画像表示部
７  操作部
８  データ記憶部
９  位置計測装置
１０  外部Ｉ／Ｆ（インタフェース）部
【図１】
2004221869.tif 000003
【図２】
2004221869.tif 000004